(57)【要約】【課題】子供および高齢者が誤って窓等を開放することを防ぐことを課題とする。【解決手段】可動部を有した機器に設けられた接触部と、対象者の手が接触部に手が触れたことに応じて、対象者の年齢層を識別する識別部と、識別部が所定の年齢層とは異なる年齢層を識別した際に、可動部の可動を規制する規制部と、を備えたことを特徴とする電子機器を提供する。また、識別部は、接触部に接触する手の接触面積に基づいて対象者の年齢層を識別する電子機器を提供する。【選択図】図２
2014031673.tif 000002
【特許請求の範囲】
【請求項１】
可動部を有した機器に設けられた接触部と、
対象者の手が前記接触部に前記手が触れたことに応じて、前記対象者の年齢層を識別する識別部と、
前記識別部が所定の年齢層とは異なる年齢層を識別した際に、前記可動部の可動を規制する規制部と、を備えたことを特徴とする電子機器。
【請求項２】
前記識別部は、前記接触部に接触する手の接触面積に基づいて前記対象者の年齢層を識別することを特徴とする請求項１記載の電子機器。
【請求項３】
前記識別部は、前記接触部に接触する手の水分量に基づいて前記対象者の年齢層を識別することを特徴とする請求項１または２記載の電子機器。
【請求項４】
前記対象者が有している機器から前記対象者に関するデータを入力する入力部を備えることを特徴とする請求項１から３のいずれか１項に記載の電子機器。
【請求項５】
前記入力部は前記接触部に人体通信部を備えたものであり、
前記人体通信部を介して前記対象者の機器から前記対象者に関するデータを入力することを特徴とする請求項４記載の電子機器。
【請求項６】
前記入力部は、前記対象者が有する機器から前記対象者の画像を入力する
請求項４記載の電子機器。
【請求項７】
時間情報を検出する時間検出部を備え、
前記時間検出部が検出した時間に応じて、前記規制部の規制を解除する制御部を備えたことを特徴とする請求項１から６のいずれか一項に記載の電子機器。
【請求項８】
前記対象者とは異なる第２対象者の有無を判別する判別部を備え、
前記判別部が前記第２対象者を判別したときに、前記規制部の規制を解除する制御部を備えたことを特徴とする請求項１から７のいずれか一項に記載の電子機器。
【請求項９】
前記判別部は、所定の周波数帯域の音声を集音する集音部を備えることを特徴とする請求項８記載の電子機器。
【請求項１０】
前記判別部は、前記集音部で集音された音声情報から検出された前記第２対象者の発言を判別し、
前記規制部は、識別した前記対象者の年齢層、前記判別部が検出した第２対象者の情報、及び前記第２対象者の発言に基づいて、前記可動部の可動を規制することを特徴とする請求項９に記載の電子機器。
【請求項１１】
人物を撮像可能な撮像部を備え、
前記判別部は、前記撮像部で撮像された人物の画像と予め記録された前記第２対象者の画像とを比較することにより、前記第２対象者を検出する
請求項８から１０のいずれか１項に記載の電子機器。
【請求項１２】
前記対象者が前記接触部に触れた履歴を記録する記録部を備えたことを特徴とする請求項１から１１のいずれか一項に記載の電子機器。
【発明の詳細な説明】
【技術分野】
【０００１】
本発明は、電子機器に関する。
【背景技術】
【０００２】
従来、予め登録しておいたＩＤの所有者に対してドアの開錠を許可する方法が知られている（例えば、特許文献１参照）。
［先行技術文献］
［特許文献］
［特許文献１］  特開２００２−３０９８１５号公報
【発明の概要】
【発明が解決しようとする課題】
【０００３】
しかし、特許文献１の方法によると予めＩＤを登録する必要があり、不特定の者が開閉する窓等において安全性等を基準に開錠するか否かを選択することができなかった。
【課題を解決するための手段】
【０００４】
本発明の第１の態様に係る電子機器は、可動部を有した機器に設けられた接触部と、対象者の手が接触部に手が触れたことに応じて、対象者の年齢層を識別する識別部と、識別部が所定の年齢層とは異なる年齢層を識別した際に、可動部の可動を規制する規制部とを備える。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】本実施形態に係る情報処理システム１の構成を示すブロック図である。
【図２】本実施形態に係る情報処理システム１の概略図である。
【図３】本実施形態に係る電子機器２０の動作例である。
【図４】本実施形態に係る電子機器２０の処理を示すフローチャートである。
【図５】可動部３００の規制を解除するための条件の一例を示す。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、本実施形態に係る情報処理システム１の構成を示すブロック図を示し、図２は、本実施形態に係る情報処理システム１の概略図を示し、図３は本実施形態に係る電子機器２０の動作例を示す。
【０００９】
（情報処理システム１の説明）
本実施形態の情報処理システム１は、例えば、窓、ドア、扉等を開けようとする対象者の年齢層を識別し、対象者の年齢層等が安全上の条件を満たす場合に窓を開くことを許可する。情報処理システム１は、図１に示すように、窓を開けようとする対象者に携帯される携帯機器１０と、窓の開閉を許可又は規制する電子機器２０を備える。ここで、図２に示すように、窓３０は、例えばＬ字ハンドルである可動部３００を有し、可動部３００を動かすことにより開錠又は施錠される。
【００１０】
（携帯機器１０の説明）
携帯機器１０は、一例としてリストバンド等の携帯機器である。これに代えて、携帯機器１０は、例えば、腕時計、スマートフォン、又は携帯電話であってよい。携帯機器１０は、電極１０２、人体通信部１０４、表示部１０６、メモリ１０８、及び、制御部１１０を有する。
【００１１】
電極１０２は、信号電極とグランド電極とを有し、電子機器２０との間で対象者を介した人体通信により信号を授受する。電極１０２は、対象者が触れやすい位置に設けられ、携帯機器１０がリストバンドの場合には、一例としてリストバンドの内面側における対象者の手と接する部分（あるいは近接する部分）に設けられる。また、携帯機器１０がスマートフォン又は携帯電話等である場合には、電極１０２は筐体の側面又は表示面と反対側の裏面に設けられてよい。
【００１２】
人体通信部１０４は、電極１０２及び制御部１１０に接続され、バンドパスフィルタを有した電気回路から構成される送信部を有し、送信するデータを変調して送信信号を生成する。人体通信部１０４は、電極１０２に触れる対象者の人体を通じて電子機器２０と通信する。なお、人体通信部１０４は、データを受信する機能を有していてもよい。
【００１３】
人体通信の方式としては、人体に微弱な電流を流して、その電流を変調して情報を伝達する電流方式、および人体の表面に誘起する電力電界を変調して情報を伝達する電界方式等がある。本実施形態においては、電流方式及び電界方式の何れのタイプを用いることもできる。電界方式を採った場合には、人体通信部１０４は、対象者が素手である場合（即ち、対象者の手と電極１０２とが接触している場合）はもちろん、対象者が手袋をしている場合（即ち、対象者の手と電極１０２とが対向している場合）であっても使用可能であり、また、対象者が電極１０２に触れなくても携帯機器１０を体の近くに保持していれば使用可能となる。
【００１４】
表示部１０６は、一例として液晶表示装置を有し、対象者に対して情報を表示する。メモリ１０８は、一例としてフラッシュメモリ等の不揮発性メモリを有し、対象者の生年月日、名前、性別、及び対象者の画像等の少なくとも１つを含む、対象者の属性データを記録する。
【００１５】
制御部１１０は、一例としてＣＰＵを有し、人体通信部１０４、表示部１０６、及びメモリ１０８に接続されて、携帯機器１０の全体を制御する。例えば、制御部１１０は、電子機器２０との間で人体通信が確立すると、電子機器２０からの要求を受けて、メモリ１０８から対象者の属性データを読み出し、人体通信部１０４を介して当該データを電子機器２０に供給する。
【００１６】
（電子機器２０の説明）
電子機器２０は、窓３０の可動部３００の動きを規制する。電子機器２０は、一例として、図１に示すように、接触部２１０、識別部２２０、時間検出部２２２、撮像部２３０、集音部２３２、判別部２４０、開閉センサ２４２、メモリ２４４、制御部２５０、規制部２６０、警告部２７０、及び、バッテリ２８０を有する。
【００１７】
接触部２１０は、窓３０の可動部３００（Ｌ字ハンドル等）に設けられ、可動部３００を持った対象者により接触されると、入力部として機能して携帯機器１０から対象者に関するデータを入力する。接触部２１０は、電極２１２と人体通信部２１４とを含む。
【００１８】
電極２１２は、信号電極とグランド電極とを有し、携帯機器１０との間で対象者を介した人体通信により信号を授受する。電極２１２は、対象者が可動部３００を動かすときに触れることができるように、可動部３００（Ｌ字ハンドル）の表面に設けられてよい。
【００１９】
人体通信部２１４は、電極２１２に接続され、バンドパスフィルタを有した電気回路から構成される受信部を有し、入力した受信信号を復調して受信データを生成する。人体通信部２１４は、対象者が電極２１２に触れると、携帯機器１０から対象者の体を介して対象者の属性データを受信する。人体通信部２１４の人体通信の方式は、携帯機器１０において用いられている人体通信の方式と同一である。なお、人体通信部２１４は、データを送信する機能を有していてもよい。
【００２０】
このように、接触部２１０は、人体通信部２１４を介して、携帯機器１０から対象者に関する属性データを入力する。これに代えて、接触部２１０は、接触部２１０に接触する対象者の手の接触面積及び／又は手の水分量を検出して、これを入力してもよい。
【００２１】
識別部２２０は、接触部２１０に接続され、対象者の手が接触部２１０に手が触れたことに応じて、対象者の年齢層を識別する。一例として、識別部２２０は、人体通信部２１４に接続され、人体通信部２１４を介して携帯機器１０から得た対象者の生年月日等の属性データから、対象者の年齢を算出する。識別部２２０は、識別した対象者の年齢層に関する情報を制御部２５０に供給する。
【００２２】
時間検出部２２２は、例えば一般的なデジタル時計又は電波時計を含み、現在の時間情報を検出して当該時間情報を制御部２５０に供給する。
【００２３】
撮像部２３０は、例えば人物を撮像可能なスチルカメラ又はビデオカメラを含む。撮像部２３０は、窓３０の近傍、窓３０が設置された部屋、及び／又は、窓３０が設置された建物内に設けられてよく、一例として図２に示すように窓３０に隣接する壁の一部に設けられる。これにより、撮像部２３０は、窓３０の近傍等に位置する、対象者とは異なる第２対象者（例えば、携帯機器１０を携帯する対象者の保護者等）を撮像する。撮像部２３０は、撮像した画像データを判別部２４０に供給する。
【００２４】
集音部２３２は、一例としてマイクを含み、所定の周波数帯域の音声を集音する。集音部２３２は、対象者の周囲に存在する第２対象者の音声を集音しやすいように、規制部２６０の近傍に設けられる。
【００２５】
判別部２４０は、撮像部２３０が撮像した画像に基づき、第２対象者の有無を判別する。一例として、判別部２４０は、撮像部２３０から画像データを取得し、撮像部２３０で撮像された人物の画像と予め記録された第２対象者の画像とを比較することにより、第２対象者を検出する。判別部２４０は、第２対象者の検出の有無についての情報を制御部２５０に提供する。
【００２６】
判別部２４０は、撮像部２３０及び集音部２３２に接続され、集音部２３２で集音された音声情報から検出された第２対象者の発言を判別する。判別部２４０は、第２対象者の発言についての情報を制御部２５０に提供する。
【００２７】
開閉センサ２４２は、窓３０の開閉状態を検出し、検出した開閉状態に関する情報を制御部２５０に供給する。
【００２８】
メモリ２４４は、一例としてフラッシュメモリ等の不揮発性メモリを有し、及び、対象者が接触部２１０に触れた履歴を記録する。一例として、メモリ２４４は、接触部２１０に触れた対象者の名前、及び、対象者が接触部２１０に触れた日時を対応付けて記録してよい。また、メモリ２４４は、窓３０の開閉を許可するための条件を記録してよく、一例として、予め定められた年齢層を当該条件として記録する。
【００２９】
制御部２５０は、一例としてＣＰＵを有し、識別部２２０、時間検出部２２２、判別部２４０、開閉センサ２４２、メモリ２４４、規制部２６０、及び、警告部２７０に接続されて、電子機器２０の全体を制御する。本実施形態において、制御部２５０は、識別部２２０から対象者の年齢層に関する情報を取得し、時間検出部２２２から時間情報を取得し、判別部２４０から第２対象者の有無及び第２対象者の発言に関する情報を取得し、開閉センサ２４２から窓３０の開閉状態及び可動部３００の位置状態に関する情報を取得し、規制部２６０から可動部３００の規制状態に関する情報を取得する。
【００３０】
制御部２５０は、識別部２２０が所定の年齢層（開錠を許可すべき年齢層）とは異なる年齢層を識別した際に、規制部２６０に可動部３００の可動を規制させる。例えば、対象者の年齢層が一定未満（例えば、１０歳未満）または一定以上（例えば、８０歳以上）あれば、制御部２５０は、可動部３００の規制を継続する指示を規制部２６０に供給する。これにより、電子機器２０は、例えば、子供又は高齢者が誤って窓を開けること等により生じる事故を防ぐことができる。
【００３１】
一方で、制御部２５０は、識別部２２０が所定の年齢層と一致する年齢層を識別した場合は、規制部２６０に可動部３００の可動の規制を解除する指示を供給する。これにより、大人が窓を開けようとする場合には、複雑な動作をすることなく窓３０を可動状態とすることができる。
【００３２】
また、制御部２５０は、対象者の年齢層が所定の年齢層と一致することに加えて、周囲の状況が予め定められた条件を満たす場合に規制部２６０の規制を解除してよい。一例として、制御部２５０は、対象者の年齢層が所定の年齢層と一致する場合、時間検出部２２２が検出した時間に応じて、規制部２６０の規制を解除してよい。また、一例として、制御部２５０は、対象者の年齢層が所定の年齢層と一致し、判別部２４０が第２対象者を判別したときに、規制部２６０の規制を解除してもよい。また、制御部２５０は、規制部２６０の規制を解除しない場合に、警告部２７０に警告を発するように指示を供給してよい。
【００３３】
規制部２６０は、一例として、棒状部材２６２及びモータ２６４を含み、図３（ａ）に示すように、当該棒状部材２６２により、窓３０と平行な面内で回転する可動部３００の可動を規制する。規制部２６０は、制御部２５０から規制を解除する指示を受けると、図３（ｂ）に示すように、モータ２６４により棒状部材２６２を可動部３００（例えば、Ｌ字ハンドル）の運動の障害とならない位置に回転させ、これにより可動部３００の回転を許可する。
【００３４】
そして、一例として、可動部３００（Ｌ字ハンドル）が右方向及び下方向を向く状態から下方向及び左方向を向く状態に９０度回転することで、窓３０は開錠可能となる。このように、規制部２６０は、可動部３００の規制を解除し、対象者に窓３０の開放を許可する。規制部２６０は、可動部３００の規制状態に関する情報を制御部２５０に供給する。
【００３５】
警告部２７０は、一例としてスピーカーを含み、規制部２６０の近傍に設けられて対象者に警告情報を伝える。例えば、警告部２７０は、制御部２５０の指示を受けて、対象者に対して警告の音声を発する。警告部２７０はさらに表示用のディスプレイを有してもよい。この場合、警告部２７０は、ディスプレイ上にキャラクター等の画像と共に警告のメッセージを表示してよい。
【００３６】
バッテリ２８０は、一例としてアルカリ電池等の一次電池又はニッケル水素電池等の二次電池を有し、電子機器２０に電力を供給する。一例として、バッテリ２８０は、規制部２６０が有するモータ２６４に電流を供給する。さらにバッテリ２８０は、制御部２５０等の電子機器２０内の他の構成要素に電力を供給してもよい。
【００３７】
このように、本実施形態においては、識別部２２０が識別した対象者の年齢層、判別部２４０が検出した第２対象者の情報及び発言に基づいて、規制部２６０が可動部３００の可動を規制する。これにより、本実施形態の電子機器２０は、対象者に危険が生じる可能性がある状況において、可動部３００が可動状態となることを防ぐことができる。
【００３８】
（電子機器２０の処理フロー）
次に本実施形態に係る電子機器２０の処理を図４に示すフローチャートに沿って説明する。電子機器２０は、Ｓ１０２からＳ１２６までの処理を実行する。
【００３９】
まず、ステップＳ１０２において、制御部２５０は、窓３０の開閉状態及び規制状態を確認する。一例として、制御部２５０は、開閉センサ２４２からの出力により窓３０が閉じられているか否かを確認し、規制部２６０のモータ２６４のエンコーダ出力に基づいて規制部２６０の規制状態を確認する。ここでは窓３０は閉じられ、可動部３００は規制部２６０により規制されているものとする。
【００４０】
次にステップＳ１０４において、制御部２５０は、対象者が接触部２１０に触れたか否か判断する。一例として、制御部２５０は、携帯機器１０と電子機器２０の間で人体通信が成立すると、対象者が接触部２１０に触れたと判断する。他の例として、制御部２５０は、接触部２１０が対象者の手の接触面積又は手の水分量等を算出できた場合、対象者が接触部２１０に触れたと判断する。対象者が接触部２１０に触れたと判断した場合、制御部２５０は、処理をＳ１０６に進める。それ以外の場合は、制御部２５０はＳ１０４の処理を繰り返す。
【００４１】
次にステップＳ１０６において、識別部２２０が対象者の年齢層を識別する。一例として、まず、接触部２１０は、人体通信部２１４を介して、携帯機器１０から対象者の生年月日を含む対象者に関する属性データを入力し、当該属性データを識別部２２０へ供給する。識別部２２０は、接触部２１０を介して携帯機器１０から得た属性データに含まれる生年月日から、対象者の年齢を算出する。
【００４２】
これに代えて、接触部２１０は、人体通信部２１４を介して、携帯機器１０から対象者の画像を含む属性データを入力し、対象者の当該対象者の画像を識別部２２０へ供給してもよい。この場合、識別部２２０は、取得した対象者の画像を解析して、対象者の年齢層を識別してよい。
【００４３】
電子機器２０は、接触部２１０とは異なる無線通信部をさらに備えてよい。そして、電子機器２０は、画像等を含む大きな属性データを扱う場合において、人体通信によるペアリングの完了後に、無線通信部を用いて無線ＬＡＮ又はＢｌｕｅｔｏｏｔｈ（登録商標）等の無線通信等を介して携帯機器１０から属性データを入力してよい。
【００４４】
ここで、接触部２１０に接触する対象者の手の接触面積は対象者の年齢に応じて変化する。そこで、識別部２２０は、携帯機器１０から取得した対象者の属性データを用いることに代えて、対象者の手の接触面積から対象者の年齢層を識別してよい。
【００４５】
具体的には、接触部２１０は、複数の温度センサ又は圧力センサ等を有し、温度又は圧力値が変化したセンサの数から接触部２１０に接触する対象者の手及び／又は指の接触面積を推定して、当該推定値を識別部２２０に供給する。識別部２２０は、接触面積と年齢の関係を表すルックアップテーブルを予め記憶しておき、接触部２１０から得た接触面積に基づき、ルックアップテーブルを参照することにより対象者の年齢層を識別する。
【００４６】
また、接触部２１０に接触する対象者の手の水分量は、対象者の年齢が増加するに従って減少する。そこで、識別部２２０は、携帯機器１０から取得した対象者の属性データを用いることに代えて、対象者の手の水分量から対象者の年齢層を識別してよい。
【００４７】
一例として、接触部２１０は、複数の電極を有し、当該複数の電極に接触する対象者の手のインピーダンスを測定することにより、対象者の手の水分量を推定する。接触部２１０は、当該推定値を識別部２２０に供給する。識別部２２０は、手の水分量と年齢の関係を表すルックアップテーブルを予め記憶しておき、接触部２１０から得た手の水分量に基づき、ルックアップテーブルを参照することにより対象者の年齢層を識別する。識別部２２０は、識別した対象者の年齢層に関する情報を制御部２５０に供給する。
【００４８】
次に、Ｓ１０８において、時間検出部２２２は、現在の時間情報を検出する。時間検出部２２２は、当該時間情報を制御部２５０に供給する。
【００４９】
次に、Ｓ１１０において、判別部２４０の集音部２３２が電子機器２０の所定の周波数帯域の音声を集音する。
【００５０】
次に、Ｓ１１２において、判別部２４０は、撮像部２３０から画像データを取得し、撮像部２３０で撮像された人物の画像と予め記録された第２対象者の画像とを比較して、対象者とは異なる第２対象者を判別する。さらに、判別部２４０は、集音部２３２で集音された音声情報と予め記録された「いいよ」及び「開けて」等の音声情報とを比較することにより、第２対象者の発言を判別する。判別部２４０は、第２対象者の検出の有無及び第２対象者の発言についての情報を制御部２５０に供給する。
【００５１】
次に、Ｓ１１４において、制御部２５０は、対象者の年齢層と周囲の状況が所定の条件を満たすか否か判断する。周囲の状況は、時間検出部２２２が検出した現在時刻、判別部２４０が判別した第２対象者の有無、及び、第２対象者の発言のいずれか、若しくはこれらのうち２以上を含む状況であってよい。一例として、制御部２５０は、メモリ２４４に保持された条件テーブル（図５）に記述された条件に基づいて規制の要否を判断する。
【００５２】
図５の条件テーブルは、少なくとも１つの条件エントリに対応付けて、年齢層の条件（年齢層条件）と、時間帯の条件（時間条件）と、第２対象者（保護者）の存在を確認するか否かの条件（保護者条件）と、第２対象者の声を確認するかの条件（音声条件）と、当該条件を満たす場合に開錠を許可するか否かを示す許否情報（規制解除の許否）とを格納する。
【００５３】
制御部２５０は、条件テーブル中の許否情報が「許可（Ｙ）」と指定したいずれかの条件を満たせば、許否情報が「拒否（Ｎ）」とである他のいずれの条件を満たさない限り、対象者の年齢層及び周囲の状況が所定の条件を満たすと判断する。一方、制御部２５０は、条件テーブル中の許否情報が「許可（Ｙ）」であるいずれの条件も満たさない場合、及び、許否情報が「拒否（Ｎ）」の条件のいずれかを満たす場合は、対象者の年齢層及び周囲の状況が所定の条件を満たさないと判断する。
【００５４】
例えば、図５の条件テーブルの＃１は、年齢層条件、時間条件、保護者条件、及び、音声条件のうち年齢層条件のみを指定する。制御部２５０は、対象者の年齢層が＃１に指定された条件（１０歳以上８０歳未満）を満たす場合に所定の条件を満たすと判断する。
【００５５】
また、例えば、図５の条件テーブルの＃２は、年齢層条件、時間条件、保護者条件、及び、音声条件のうち時間条件のみを指定する。制御部２５０は、時間条件が＃２に指定された条件（９：００〜１６：００）を満たすときに所定の条件を満たすと判断する。
【００５６】
また、例えば、図５の条件テーブルの＃３は、年齢層条件、時間条件、保護者条件、及び、音声条件のうち年齢層と時間条件を指定する。制御部２５０は、対象者の年齢層が＃３に指定された条件（８０歳以上）を満たし、かつ時間条件が指定された条件（１１：００〜１３：００）を満たすときに所定の条件を満たすと判断する。
【００５７】
また、例えば、図５の条件テーブルの＃４は、年齢層条件、時間条件、保護者条件、及び、音声条件のうち年齢層と保護者条件と音声条件とを指定する。制御部２５０は、対象者の年齢層が＃４に指定された条件（５歳以上１０歳未満）を満たし、保護者条件が指定された条件（子供の周囲に母親が存在）を満たし、かつ音声条件が指定された条件（母親が「いいよ」と発言）を満たすときに所定の条件を満たすと判断する。
【００５８】
対象者の年齢層及び周囲の状況が所定の条件を満たすと判断した場合、制御部２５０は、処理をＳ１１８に進める。それ以外の場合、制御部２５０は、可動部３００の規制を継続するものと判断して、処理をＳ１１６に進める。
【００５９】
処理がＳ１１６に進んだ場合、制御部２５０は、警告部２７０に警告を発するように指示を送信する。これにより、警告部２７０は対象者に対して、「窓を開けることはできません」等の予め定められた警告を発する。
【００６０】
また、制御部２５０は、一定時間内に対象者が接触部２１０に接触した回数をカウントしてメモリ２４４に記録してよい。そして、制御部２５０は、メモリ２４４から当該カウントを読み出し、当該カウントが予め定められた回数を超えたことに応じて、警告部２７０に警告を発するよう指示を送信してよい。これにより、電子機器２０は、対象者が偶発的に接触部２１０に接触した場合には警告を発せず、対象者が執拗に可動部３００に接触した場合には対象者に警告を発し、不測の事態が生じることを防ぐことができる。
【００６１】
さらに、制御部２５０は、警告部２７０に、対象者の年齢層に応じて選択した警告を発するように指示してもよい。例えば、対象者が幼児に該当する年齢層（例えば、６歳未満）であれば、制御部２５０は、警告部２７０に対して「あぶないよ」等の簡単な警告を発しさせ、それ以外の場合には「保護者がいないときには開けられません」等の具体的な警告を発しさせてよい。その後、制御部２５０は、規制部２６０により可動部３００の規制を継続させたまま処理を終了する。
【００６２】
処理がＳ１１８に進んだ場合、制御部２５０は、規制部２６０に可動部３００の可動の規制を解除させる。一例として、制御部２５０は、棒状部材２６２をモータ２６４で回転させることにより、棒状部材２６２を可動部３００の規制する位置から可動部３００を規制しない位置に移動する。
【００６３】
次に、Ｓ１２０において、制御部２５０は、警告部２７０に対して、規制を解除した旨を報知する音声を発するように指示を供給する。警告部２７０は、制御部２５０からの指示を受けて、「窓のロックを解除しました」等の規制部２６０の規制解除を報知する音声を発する。
【００６４】
次に、Ｓ１２２において、制御部２５０は、規制部２６０が可動部３００の規制を解除してから一定時間、例えば、１０秒から１分が経過するまで待機する。これにより、規制部２６０は、例えば、対象者が窓３０を開けて作業する間、可動部３００を規制せずに待機する。
【００６５】
次に、Ｓ１２４において、制御部２５０は、窓３０が初期状態に戻ったか否か判断する。一例として、制御部２５０は、開閉センサ２４２により窓３０が閉められており、可動部３００が規制可能な位置となっているか否か判断する。窓３０が初期状態であると判断する場合は、制御部２５０は処理をＳ１２６に進め、それ以外の場合はＳ１２４の処理を繰り返す。一定時間、窓３０が初期位置に戻らない場合は、窓３０が開け放しになっている等の異常が生じたものとして、制御部２５０は警告部２７０に異常が生じた旨の警告を発するように指示を送ってもよい。
【００６６】
次に、Ｓ１２６において、制御部２５０は、可動部３００の可動を再び規制する。一例として、制御部２５０は、棒状部材２６２をモータ２６４で回転させることにより、棒状部材２６２を、可動部３００を規制しない位置から可動部３００を規制する位置に移動する。ここで、制御部２５０は、警告部２７０のスピーカーに対して、可動部３００を規制した旨を報知する音声を発するように指令してもよい。
【００６７】
このように、電子機器２０は、Ｓ１０２〜Ｓ１２６までの処理を実行することにより、制御部２５０は、対象者の年齢層、現在時刻、及び、第２対象者の存在の有無等の予め定められた条件に基づいて、規制部２６０に可動部３００の規制を解除させ、一定時間経過後に再び規制部２６０に可動部３００の動作を規制させる。
【００６８】
これにより、本実施形態の電子機器２０は、対象者が安全な状況において対象者に可動部３００を動作させることができる。また、本実施形態の電子機器２０は、対象者の可動部３００に対する動作が終わった後には再び可動部３００を規制することにより、対象者の安全を確保することができる。
【００６９】
なお、上記の実施形態においては、撮像部２３０は第２対象者を撮像するために用いたが、撮像部２３０は対象者を撮像してもよい。この場合、撮像部２３０は、撮像した画像データを識別部２２０に供給し、識別部２２０は画像中の対象者の顔の大きさ、色、皺、頭髪の量及び色等から対象者の年齢層を識別してもよい。
【００７０】
電子機器２０は、可動部を有する他の機器に設けることができる。例えば、電子機器２０は、ドア、ガススイッチ、及び、冷蔵庫扉等の家庭内に設置される器具又は家電製品の可動部、車両のドア又は窓、もしくは、危険物収納扉等の作業者の危険を伴う開閉部を有する器具等に設けられてよい。
【００７１】
また、電子機器２０は、複数の可動部３００に対応して設けられた、複数の接触部２１０、複数の撮像部２３０、複数の規制部２６０、及び、複数の警告部２７０等を備えてよい。
【００７２】
例えば、住宅内で、各窓及び各扉に設けられた複数の可動部３００のそれぞれに対応して、複数の接触部２１０、複数の規制部２６０、及び、複数の警告部２７０を設け、さらに各部屋に撮像部２３０を設けてもよい。そして、可動部３００の開閉により生じる危険の大きさ等に応じて、規制部２６０の規制を解除する年齢層又はその他の条件を異ならせてよい。例えば、玄関のドアの規制を解除する条件を年齢層は３歳以上とし、２階のベランダ側のサッシの規制を解除する条件を１０歳以上としてよい。
【００７３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７５】
１  情報処理システム、１０  携帯機器、２０  電子機器、３０  窓
１０２  電極、１０４  人体通信部、１０６  表示部、１０８  メモリ
１１０  制御部、２１０  接触部、２１２  電極、２１４  人体通信部
２２０  識別部、２２２  時間検出部、２３０  撮像部、２３２  集音部
２４０  判別部、２４２  開閉センサ、２４４  メモリ、２５０  制御部
２６０  規制部、２６２  棒状部材、２６４  モータ、２７０  警告部
２８０  バッテリ、３００  可動部
【図１】
2014031673.tif 000003
【図２】
2014031673.tif 000004
【図３】
2014031673.tif 000005
【図４】
2014031673.tif 000006
【図５】
2014031673.tif 000007